(57)【要約】【課題】  長いタイトルを理解しやすく表示できるようにする。【解決手段】  ＣＰＵは、ステップＳ１４０にて、このファイル名から階層構造のフォルダー名を除去して仮ファイル名として記憶し、ステップＳ１５０にて、最下層のフォルダー名を取得し、ステップＳ１６０にて、この最下層のフォルダー名を最上段の領域に並列表示し、ステップＳ１７０にて、最下層のフォルダーの内容を番組名表示欄（リスト表示）Ｌに仮ファイル名でリスト表示する。従って、番組名のリスト表示には、（階層構造の）フォルダー名とした部分と本来の番組名（データの名称）と重複した部分は省略して表示されることになる。【選択図】  図２
2015177197.tif 000002
【特許請求の範囲】
【請求項１】
階層構造が可能な記憶領域に対して記憶されたデータを再生可能な再生装置であって、
前記記憶領域は、前記データの名称における共通部分を階層構造のフォルダー名として前記データを記憶しており、
前記記憶領域に記憶されているデータの名称を取得する名称取得手段と、
前記記憶領域の階層構造を取得する階層構造取得手段と、
前記データの名称をリスト表示するときに少なくとも階層構造のフォルダー名と名称とを重複させないように表示する番組名表示手段とを備えることを特徴とする再生装置。
【請求項２】
前記番組名表示手段は、共通部分があるときに共通部分を所定の文字や記号の有無で表示することを特徴とする請求項１に記載の再生装置。
【請求項３】
前記記憶領域では、データの名称における共通部分を分析し、共通部分をフォルダー名として階層構造を形成し、所定の階層に前記データを記憶する階層構造化手段を備えることを特徴とする請求項１または請求項２に記載の再生装置。
【請求項４】
前記階層構造化手段は、データの名称における共通部分を分析して構造化可能な階層数が複数ある時に、ユーザに階層数の選択を促して選択結果を取得し、取得した階層数で前記データを階層化して記憶することを特徴とする請求項３に記載の再生装置。
【請求項５】
前記階層構造化手段は、前記階層構造と前記データの名称とに基づいて、階層構造の無い状態に戻すことが可能であることを特徴とする請求項３〜請求項４のいずれかに記載の再生装置。
【請求項６】
前記階層構造化手段は、階層化したときに、前記データの名称からフォルダー名を取り除くことと、前記データの名称にフォルダー名を残すことが可能であることを特徴とする請求項３〜請求項５のいずれかに記載の再生装置。
【請求項７】
前記データの名称に含まれる汎用的な分類記号と文字を省略して処理することを特徴とする請求項１〜請求項６のいずれかに記載の再生装置。
【発明の詳細な説明】
【技術分野】
【０００１】
本発明は、再生装置に関し、特に、テレビ放送を受信して録画したり再生する再生装置に関する。
【背景技術】
【０００２】
テレビ放送を受信して録画する場合、番組名をファイル名として保存することが多い。
ファイル名、タイトル名、番組名といった表示する領域が決まっている場合、表示したいファイル名が長いときに、すべて表示できないという問題がある。特に定期的に放送される番組名では、番組名の最後に第XX話といった部分や内容に関わる部分が一覧表示で判別できない。
【０００３】
タイトルが長いものを表示する技術として特許文献１〜３に示すものが知られている。
特許文献１は、１行で表示可能な文字の数を超える数の文字で構成されたファイル名等を、１行において、スクロールによらずに識別することができるように表示する表示装置、プログラム、及び表示方法に関する。特許文献１には、図２と段落００３２には、「省略文号公報字列は、最初の５文字からなる開始文字列「ＡＢＣＤＥ」及び最後の５文字からなる終了文字列「ＶＷＸＹＺ」を省略記号「〜」で結合する」との開示がある。
【０００４】
特許文献２は、個々のサブフォルダーやファイルの内容を確認することなく、効率的にフォルダーの中にあるファイルの概要について理解するためのファイル（文書）管理処理を提供するファイル管理装置に関する。特許文献２には、図７と段落００２５には、「図７Ｂの７０１に示すように、クエリ文字列を含むファイルが存在するフォルダーについてのみの概要を表示し、フォルダー４乃至フォルダー８については７０２に示すように省略する」との開示がある。
【０００５】
特許文献３は、表示領域の狭い表示装置に対して階層構造を持つ文字情報を適切に表示する表示システムに関する。特許文献３には、図４と段落００２０には、「表示部号公報１１に出力する（ステップＳ１０７）。この例の場合は、１つのフォルダーに割り当てられる文字数から、「￥Ａフォルダー」は「￥Ａフ…」と省略し、「￥Ｂフォルダー」は「￥Ｂフ…」と省略して表示した場合を示している」との開示がある。
【先行技術文献】
【特許文献】
【０００６】
【特許文献１】特開２００９−２７６４６６号公報
【特許文献２】特開２０１０−００９４６９号公報
【特許文献３】特開２００７−２３２９２０号公報
【発明の概要】
【発明が解決しようとする課題】
【０００７】
上述した特許文献に示すものでは、長いタイトルの一部を省略する表示をしたり、タイトルとは直接は関係のないフォルダー名を省略する表示をするので、十分に理解できないことがあった。
本発明は、長いタイトルを理解しやすく表示できるようにする再生装置を提供する。
【課題を解決するための手段】
【０００８】
本発明は、階層構造が可能な記憶領域に対して記憶されたデータを再生可能な再生装置であって、前記記憶領域は、前記データの名称における共通部分を階層構造のフォルダー名として前記データを記憶しており、前記記憶領域に記憶されているデータの名称を取得する名称取得手段と、前記記憶領域の階層構造を取得する階層構造取得手段と、前記データの名称をリスト表示するときに少なくとも階層構造のフォルダー名と名称とを重複させないように表示する番組名表示手段とを備える構成としてある。
【０００９】
前記構成において、前記記憶領域では、前記データの名称における共通部分を階層構造のフォルダー名として前記データを記憶している。この前提で、名称取得手段が前記記憶領域に記憶されているデータの名称を取得し、階層構造取得手段が前記記憶領域の階層構造を取得する。すると、番組名表示手段は、前記データの名称をリスト表示するときに少なくとも階層構造のフォルダー名と名称とを重複させないように表示する。
【００１０】
従って、フォルダー名とデータ名とを全て表示すれば、全てのデータの名称は表示される。共通部分については不要であれば、残りの部分だけを表示する。複数の階層構造のうち、必要な共通部分だけ表示するようにしてもよい。データの名称に共通部分を含むとしても、その部分は重複して表示しないので、表示領域を無駄にしない。
本発明の他の態様として、前記番組名表示手段は、共通部分があるときに共通部分を所定の文字や記号の有無で表示する構成しても良い。
【００１１】
共通部分は表示はされないとすると、共通部分があるのかないのかが分からない。前記構成において、共通部分があるときに共通部分を所定の文字や記号の有無で表示するので、所定の文字や記号がないときと比較して判別しやすい。
本発明の他の態様として、前記記憶領域では、データの名称における共通部分を分析し、共通部分をフォルダー名として階層構造を形成し、所定の階層に前記データを記憶する階層構造化手段を備える構成としても良い。
【００１２】
前記構成において、データの名称における共通部分を分析し、共通部分をフォルダー名として階層構造を形成し、所定の階層に前記データを記憶する。例えば、名称に共通部分を有するデータが複数ある場合、共通部分を分析して階層構造化することで、共通部分の名称のフォルダーにデータが記憶され、データの整理ができる。
本発明の他の態様として、前記階層構造化手段は、データの名称における共通部分を分析して構造化可能な階層数が複数ある時に、ユーザに階層数の選択を促して選択結果を取得し、取得した階層数で前記データを階層化して記憶する構成としても良い。
【００１３】
タイトルの付け方として、複数の要素があると、共通部分に基づいて複数の階層化の可能性があり、全てについて階層化する必要性があるか無いかはユーザ次第ということが多い。このような場合に、前記構成において、ユーザに階層数の選択を促して選択結果を取得し、その結果を反映させる。
本発明の他の態様として、前記階層構造化手段は、前記階層構造と前記データの名称とに基づいて、階層構造の無い状態に戻すことが可能である構成としても良い。
【００１４】
共通部分を使用してフォルダー名とするのであれば、データのファイル名からフォルダー名の部分を無くすことが可能である。しかし、その逆も可能であり、階層構造とデータの名称とに基づいて、階層構造の無い状態に戻すこともできるようにしている。
本発明の他の態様として、前記階層構造化手段は、階層化したときに、前記データの名称からフォルダー名を取り除くことと、前記データの名称にフォルダー名を残すことが可能である構成としても良い。
【００１５】
前記構成において、階層化したときに、前記データの名称からフォルダー名を取り除くことと、前記データの名称にフォルダー名を残すことが可能であることにより、いずれかを選択することができて利便性は向上する。
本発明の他の態様として、前記データの名称に含まれる汎用的な分類記号と文字を省略して処理する構成としても良い。
前記構成において、ときどきデータの名称には汎用的な分類記号が含まれることがある。このような分類記号が表す分類自体を不要と考えるユーザも多いし、分類記号の付与のされ方が一定でないので、付け方次第で本来であれば共通部分があるのにないものとして認識されるなどの弊害も生じる。分類記号と同様の意味である文字や空白などもある。このため、これらを省略して処理する。
【発明の効果】
【００１６】
本発明の再生装置は、データの名称における共通部分を階層構造のフォルダー名としてデータを記憶しており、データの名称をリスト表示するときに少なくとも階層構造のフォルダー名と名称とを重複させないように表示するので、区別したい部分を表示しやすく、省略している部分もフォルダー名として残るので理解や整理しやすい。
例えば、いわゆるフォルダー分けした際、フォルダー名と共通する部分を省略して番組名を表示することで、共通部分を省略することができ、区別したい部分だけを表示することが可能になる。
このように、いわゆるタイトルの一部を単に省略して切り詰めて表示するのではなく、タイトルの一部をフォルダー名とすることで、たとえ、一部を表示することになるとしても、フォルダー名と関連させて元のタイトルを理解できるし、共通部分がフォルダーになっているという認識があるので、番組名表示を理解しやすく、意図した判別が可能となる。
【図面の簡単な説明】
【００１７】
【図１】再生装置が適用される録画再生装置のブロック図である。
【図２】録画再生装置での番組名の表示にかかるフローチャートである。
【図３】本実施例の番組名の表示例を示す図である。
【図４】従来の番組名の表示例を示す図である。
【図５】第二実施例の録画再生装置での番組名の表示にかかるフローチャートである。
【図６】本実施例の番組名の表示例を示す図である。
【図７】第三実施例の録画再生装置での番組名の表示にかかるフローチャートである。
【図８】本実施例の番組名の表示例を示す図である。
【図９】本実施例の番組名の表示例を示す図である。
【図１０】第四実施例の録画再生装置での番組名の表示にかかるフローチャートである。
【発明を実施するための形態】
【００１８】
（第一実施例）
図１は、本発明の一実施形態にかかる再生装置を適用した録画再生装置をブロック図により示している。なお、本録画再生装置はディスプレイを備えているので録画再生機能付きのテレビジョンである。
同図において、本録画再生装置１０は、六つのチューナ（デジタルチューナ）１１（１１ａ１〜１１ａ６）を備えている。各チューナ１１は、地デジチューナ、ＢＳチューナ、ＣＳチューナの機能を備えている。従って、同時に異なる六つのテレビ放送を受信できる。
【００１９】
各チューナ１１ａ１〜１１ａ６のＩＦ出力は、復調器１１ｂ１〜１１ｂ６に入力されており、復調器１１ｂ１〜１１ｂ６はＩＦ出力を復調してエラー処理まで行われた復調信号が、それぞれ個別にデマルチプレクサ１２に入力されている。復調器１１ｂ１〜１１ｂ６は、復調信号を得る過程で各チューナ１１ａ１〜１１ａ６におけるそれぞれ個別のＣ／Ｎ値を取得することができ、各Ｃ／Ｎ値もデマルチプレクサ１２に出力されている。
【００２０】
デマルチプレクサ１２は多重信号の分離を行うが、さらにＣＰＵやＲＯＭやＲＡＭを内蔵して所定のプログラムを実行し、各部を制御してテレビ放送の受信や録画および再生を行なうことが可能である。ＣＰＵは後述するアンテナ設置補助処理では、前記受信強度に基づいて所定の表示を行う。この表示はＯＳＤ（オンスクリーンディスプレイ）として後述するデコーダ１５に出力する。
【００２１】
マルチプレクサ１３は、録画時、受信したデジタル放送のコンテンツから録画に必要な情報を注出して再多重し、記録領域としてのＨＤＤ１４に記録させる。再生時は、デマルチプレクサ１２がＨＤＤ１４から直にデータを読み出す。ＨＤＤ１４には、デジタル放送のコンテンツを記録可能であるのに加え、後述するように同時受信するチャンネルの組合せと受信周波数の情報などが記憶されている。これらの情報についてはＨＤＤ１４以外の記憶領域を設けて保存することも可能である。なお、ＨＤＤ１４に代え、または、ＨＤＤ１４ととも記録媒体を変更可能なブルーレイディスクドライブ１４ａや、外付けのＨＤＤなどを備えても良い。
【００２２】
受信したデジタル放送のトランスポートストリームあるいはＨＤＤ１４から読み出されたデータはデコーダ１５に入力され、映像信号と音声信号とに分離され、デコードされる。デコードされた映像信号はドライバー１６に入力されてディスプレイパネル１７で映像として表示される。また、デコードされた音声信号はアンプ１８で増幅されてスピーカ１９から音声として出力される。また、デコーダ１５はデマルチプレクサ１２のＣＰＵが生成する各種のＯＳＤ表示のデータを入力し、デコードされた映像信号に重畳してドライバー１６へと出力する。
【００２３】
本録画再生装置１０に対する操作指示は、操作パネル２１を介してデマルチプレクサ１２が取得し、所定の制御に反映させる。また、リモコン２２を介する操作指示も同様に取得可能となっている。
本実施例では、ＨＤＤ１４が階層構造が可能な記憶領域に相当し、録画番組をデータとしてその名称における共通部分を階層構造のフォルダー名として記憶する。デマルチプレクサ１２のＣＰＵは後述する処理手順に沿って番組名の表示を行うので、各制御毎に名称取得手段と、階層構造取得手段と、番組名表示手段とに相当する。
【００２４】
図２は、録画再生装置での番組名の表示にかかる処理手順をフローチャートにより示している。
また、図３は、本実施例の番組名の表示例を図により示しており、図４は、従来の番組名の表示例を図により示している。
図４に示す従来の表示例では、番組名表示欄（リスト表示）Ｌに、
−−−−−−−−−−−−−−−−−−−−−−−−−−
５．１  ２０１０  ワールドカップ  「スペイン」対「
５．１  ２０１０  ワールドカップ  「スペイン」対「
５．１  ２０１０  ワールドカップ  「スペイン」対「
−−−−−−−−−−−−−−−−−−−−−−−−−−
と表示されている。番組名が長いので、全てを番組名表示欄Ｌに表示しきれない。ユーザが、例えば、”５．１  ２０１０  ワールドカップ  「スペイン」対「ホンジュラス」”戦を探したいとしても、これでは選択できない。そして、一つ一つの番組にハイライト表示を移動させると録画日付表示欄Ｄまで使用できるようになり、隠れていた”ホンジュラス」”までが表示される。むろん、さらに番組名が長くなると、録画日付表示欄Ｄを使用しても表示しきれない。図４の例では、ハイライト表示は一番上の番組名の上に移動しており、”ニュース・気象情報  「生中継・サッカー  ワールドカ”という番組名が表示されている。
【００２５】
一方、図３に示す本実施例の表示例では、番組名表示欄（リスト表示）Ｌに、
−−−−−−−−−−−−−−−−−−−−−−−−−−
☆ 〜「スペイン」対「スイス」
NEW〜「スペイン」対「ホンジュラス」
〜「スペイン」対「チリ」
−−−−−−−−−−−−−−−−−−−−−−−−−−
と表示され、ハイライト表示は一番上の番組名の上に移動している。なお、ハイライト表示している番組については、詳細表示欄Ｍに内容が表示されるようになっている。
【００２６】
また、最上段には、”＜＜５．１  ２０１０  ワールドカ＞＞”と表示されている。ここで「＜＜５．１  ２０１０  ワールドカ＞＞」は、階層構造とした記憶領域であって、現在、選択されている階層のフォルダー名の一部である。この例では、少なくとも”５．１  ２０１０  ワールドカ”で始まるフォルダー名のフォルダーがあり、そのフォルダー内に前記三つの番組名のデータが記憶されていることを示している。すなわち、フォルダー名として、本来の番組名（データの名称）の共通部分が付与されており、番組名のリスト表示には、（階層構造の）フォルダー名とした部分と本来の番組名（データの名称）と重複した部分は省略して表示されている。
【００２７】
以下に、この処理手順について説明する。
デマルチプレクサ１２のＣＰＵが、以下の処理手順で各部を制御して実現する。まず、ＣＰＵは、ステップＳ１００にて、番組名表示であるか判断する。実質的には、番組名表示が必要になった時点で以下の処理を実施することになる。次に、ステップＳ１１０にて、フルパスファイル名を取得する。データはＨＤＤ１４に階層構造で記憶されており、ＣＰＵがＨＤＤ１４にアクセスし、階層構造で記憶されているデータのファイル名をフルパスで取得する。ここでのフルパスとは、以下に示すような階層構造で番組名を分割して記憶している場合における、分割した番組名に関連する階層構造の全てのパスを指している。従って、この意味での階層構造よりも上位の階層構造については、階層構造を含んでいても含んでいなくても構わない。
【００２８】
ＣＰＵは、ステップＳ１２０では、階層構造を取得する。この階層構造は先に説明したのと同様に、以下に示すような階層構造で番組名を分割して記憶している場合における、分割した番組名に関連する階層構造の全てのパスを含んだものであればよい。このステップＳ１２０の処理は、記憶領域の階層構造を取得する階層構造取得手段に相当する。
【００２９】
ＣＰＵは、ステップＳ１３０では、ファイル名を取得する。このファイル名は、階層構造としている最下層のフォルダー内で保存されているファイル名を指している。ファイル名は、後述するように、共通部分を階層構造のフォルダー名に使用することになるが、階層構造のフォルダー名に使用した部分をファイル名から除去するか、そのまま残すかについては特に限定されていない。ステップＳ１３０の処理は、記憶領域に記憶されているデータの名称を取得する名称取得手段に相当する。
【００３０】
このため、ＣＰＵは、ステップＳ１４０にて、このファイル名から階層構造のフォルダー名を除去して仮ファイル名として記憶する。そして、ステップＳ１５０にて、最下層のフォルダー名を取得し、ステップＳ１６０にて、この最下層のフォルダー名を図３の最上段の領域に並列表示する。なお、最下層のフォルダーが複数ある時には現在のフォルダー名（現フォルダー名）をハイライト表示する。その後、ＣＰＵは、ステップＳ１７０にて、最下層のフォルダーの内容を番組名表示欄（リスト表示）Ｌに仮ファイル名でリスト表示する。仮ファイル名は、ステップＳ１４０にて、データのファイル名から階層構造のフォルダー名を除去したものである。従って、番組名のリスト表示には、（階層構造の）フォルダー名とした部分と本来の番組名（データの名称）と重複した部分は省略して表示されることになる。ステップＳ１４０とステップＳ１７０の処理は、データの名称をリスト表示するときに少なくとも階層構造のフォルダー名と名称とを重複させないように表示する番組名表示手段に相当する。
なお、ここでは詳述していないが、図３に示す例では、仮ファイル名の前に「〜」を付している。これについては、後述する。
【００３１】
（第二実施例）
図５は、第二実施例の録画再生装置での番組名の表示にかかる処理手順をフローチャートにより示しており、図６は、本実施例の番組名の表示例を図により示している。
第一実施例では、図３に示すように、番組名表示欄（リスト表示）Ｌに仮ファイル名でリスト表示するときに、先頭に「〜」の文字を付している。これは、本来の番組名は番組名表示欄（リスト表示）Ｌに表示されている部分だけではなく、その前に付されていた文字を省略して表示しているということを敢えて示すためである。しかし、同様のことは最上段のフォルダー名の表示を見れば分かる。このため、第二実施例では、その選択をユーザに任せる。なお、第一実施例と同じ処理については、同じステップ番号を付している。
【００３２】
ＣＰＵは、ステップＳ１００にて、番組名表示と判断すると、ステップＳ１０１にて、省略表示モード設定済みではないかを判断する。省略表示モードとは、上述したように「〜」を先頭に付すか、先頭に何も付さないで一文字でも番組名表示欄Ｌを有効に利用するかについての、ユーザの選択を保持する設定である。「〜」が付されるということは、表示されている名称に加えてフォルダー名との共通部分があるということを指している。
初めて実施するときは省略表示モード設定は済んでいないので、ステップＳ１０１の判断を経て、ステップＳ１０３を実施し、省略表示モードを選択させる。これはＯＳＤ表示などで画面にポップアップ表示をさせて選択を促す。ポップアップ表示の一例としては、「今後、番組名の前に〜を付して表示しますか？（Ｙｅｓ１／Ｎｏ２）」といった表示が該当し、ユーザは、リモコン２２で、Ｙｅｓなら「１」キーを、Ｎｏなら「２」キーを押すことで選択結果を入力することができるものとする。この場合、付すことを「置き換え表示」と呼ぶ。
【００３３】
ＣＰＵは、この選択結果を得て、ステップＳ１０５にて、ユーザが省略表示モードが「置き換え表示」を表すか判断し、表す場合には、ステップＳ１０７にて、置き換え文字という変数に「〜」を設定し、表さない場合には、ステップＳ１０９にて、同じ置き換え文字という変数にｎｕｌｌを設定する。ｎｕｌｌとは、文字に該当しないことを指す。
【００３４】
初めてであれば、以上のようにして置き換え文字という変数に「〜」かｎｕｌｌを設定するが、一度設定したら、以後は、ステップＳ１０１にて設定済みと判断するので、繰り返すことはない。むろん、設定メニューなどで再設定できるようにしておいても構わない。
その後、ステップＳ１１０〜ステップＳ１４０の処理を実施すると、最下層のフォルダー名と仮ファイル名とが取得できる。そして、ステップＳ１４５では、ファイル名に階層構造のフォルダー名があれば仮ファイル名の前に置き換え文字を付加する。そして、ステップＳ１５０〜ステップＳ１７０にて、置き換え文字を先頭に付した仮ファイル名を番組名表示欄Ｌに表示する。置き換え文字には「〜」かｎｕｌｌが入っているので、いずれかが先頭に付される。「〜」は一文字のスペースを使用するが、ｎｕｌｌは何もデータが無いように扱われ一文字のスペースも使用しない。
【００３５】
図６に示す本実施例の表示例では、番組名表示欄（リスト表示）Ｌに、
−−−−−−−−−−−−−−−−−−−−−−−−−−
☆ 「スペイン」対「スイス」
NEW「スペイン」対「ホンジュラス」
「スペイン」対「チリ」
−−−−−−−−−−−−−−−−−−−−−−−−−−
と表示される。
以上のようにして、番組名のリスト表示には、（階層構造の）フォルダー名とした部分と本来の番組名（データの名称）と重複した部分は省略して表示されることに加え、省略したときにそれを表す何らかの記号を付すか否かの選択をユーザが決定できるようになる。
【００３６】
（第三実施例）
以上において、データの名称の共通部分を階層構造のフォルダー名として階層構造化されている状態を前提としていた。本実施例では、このように階層構造化する処理手順（階層構造化手段に相当する）について説明する。
図７は、第三実施例の録画再生装置での番組名の表示にかかる処理手順をフローチャートにより示している。
ＣＰＵは、ステップＳ２００にて、フォルダー分けしたいタイトルを選択する。階層構造化していない状態で、例えば、全番組名を番組名表示欄Ｌなどに表示する。
図８は、本実施例の番組名の表示例を図により示している。一例として、図８に示すように、以下の四つのデータの名称があったとして
【００３７】
−−−−−−−−−−−−−−−−−−−−−−−−−−
名探偵ＸＸＸ  映画「ＷＷＷＷＷ」
名探偵ＸＸＸ  映画「ＹＹＹｖｓ名探偵ＸＸＸ」
名探偵ＸＸＸ  「西のＵＵＵｖｓＶＶＶＶ（前篇）」
名探偵ＸＸＸ  「西のＵＵＵｖｓＶＶＶＶ（後編）」
−−−−−−−−−−−−−−−−−−−−−−−−−−
これらを選択したときに、共通部分を階層構造のフォルダー名とすることで、次のような階層構造化を実現する。
−−−−−−−−−−−−−−−−−−−−−−−−−−−−−−−−−−−−−
[名探偵ＸＸＸ]─┬─[映画]────────┬─＜ＷＷＷＷＷ＞
│                        └─＜ＹＹＹｖｓ名探偵ＸＸＸ＞
└─[西のＵＵＵｖｓＶＶＶＶ]  ┬─＜前篇＞
└─＜後編＞
−−−−−−−−−−−−−−−−−−−−−−−−−−−−−−−−−−−−−
この例では、「名探偵ＸＸＸ」が四つのデータに対する共通部分であり、最上位層のフォルダー名となっている。次に、上の二つのデータに対して「映画」が共通部分であり、下の二つのデータに対して「西のＵＵＵｖｓＶＶＶＶ」が共通部分であるので、それぞれをその下位の階層のフォルダー名とする。これら以下においては、共通部分がないので、階層構造化はせず、それぞれのデータの名称として、残りの部分を付している。
【００３８】
以上の結果を実現するため、ＣＰＵは、ステップＳ２００にて、フォルダー分けしたいタイトルが選択されていると判断すると、ステップＳ２１０にて、フォルダー作成を選択されたか判断する。タイトルを複数選択したときに、各種の処理が用意されているものとし、その処理の一つであるフォルダー作成がユーザに選択されたかを判断している。両方の条件が揃っているので、ステップＳ２２０にて、共通文字列があるか判断する。図８に示す例では、共通部分として、「名探偵ＸＸＸ」、「映画」、「西のＵＵＵｖｓＶＶＶＶ」が該当するものとして判断される。
【００３９】
次に、ステップＳ２３０では、階層数が選択可能か判断する。選択可能な階層数というのは、一つのオプションであり、ユーザが細分化することを好むか否かを予め選択できるようにしておくオプションである。まず、そのような選択が可能であるかを判断した上で、選択が可能なら、ＣＰＵは、ステップＳ２４０にて、階層数の選択済みでないかを判断する。選択済みでないときは、ステップＳ２５０にて、階層数を選択させる。具体的には、ＯＳＤ表示などで画面にポップアップ表示をさせて選択を促す。ポップアップ表示の一例としては、「自動階層構造化の処理で階層数の上限をしますか？（Ｙｅｓ１〜４／Ｎｏ０）」といった表示が該当し、ユーザは、リモコン２２で、階層数の上限を１〜４の範囲で指定するならそれらの数字のキーを、Ｎｏなら「０」キーを押すことで選択結果を入力することができるものとする。このようにして、データの名称における共通部分を分析して構造化可能な階層数が複数ある時に、ユーザに階層数の選択を促して選択結果を取得し、取得した階層数で前記データを階層化（階層構造を形成）して記憶することになる。
【００４０】
図９は、本実施例の番組名の表示例を図により示している。図９は、このような階層数の上限として「１」が設定されている場合の階層構造化の例を示している。図８に示すのと同様に四つのデータの名称があったときに、
−−−−−−−−−−−−−−−−−−−−−−−−−−
名探偵ＸＸＸ  映画「ＷＷＷＷＷ」
名探偵ＸＸＸ  映画「ＹＹＹｖｓ名探偵ＸＸＸ」
名探偵ＸＸＸ  「西のＵＵＵｖｓＶＶＶＶ（前篇）」
名探偵ＸＸＸ  「西のＵＵＵｖｓＶＶＶＶ（後編）」
−−−−−−−−−−−−−−−−−−−−−−−−−−
これらを選択したときに、共通部分を階層構造のフォルダー名とすることで、次のような階層構造化を実現する。
−−−−−−−−−−−−−−−−−−−−−−−−−−−−−−−−−−−−−
[名探偵ＸＸＸ]─┬──＜映画「ＷＷＷＷＷ」＞
│──＜映画「ＹＹＹｖｓ名探偵ＸＸＸ」＞
│──＜「西のＵＵＵｖｓＶＶＶＶ（前編）」＞
└──＜「西のＵＵＵｖｓＶＶＶＶ（後編）」＞
−−−−−−−−−−−−−−−−−−−−−−−−−−−−−−−−−−−−−
【００４１】
共通部分として、「名探偵ＸＸＸ」、「映画」、「西のＵＵＵｖｓＶＶＶＶ」が該当するものの、階層数の上限は「１」であるので、最上位の共通部分だけを階層構造のフォルダー名とし、残りはすべてデータの名称としている。最上位から、階層数の上限まで、徐々に下位層に共通部分をフォルダー名として割り当てている。
さらに、ＣＰＵは、ステップＳ２３０までに設定されている階層数の上限の範囲で、ステップＳ２６０にて、共通部分をフォルダー名とした階層構造を実現する。
【００４２】
このとき、一つの選択オプションであるが、空白文字、括弧、分類記号（修飾記号）はフォルダー名から除外するようにしてもよい。これらを汎用的な分類記号と文字とも呼ぶ。データの名称自体ではないものを総称している。
空白文字はスペースのことであり、空白自体は区切りに使用しているのであって実質的に名称を表しているわけではないからである。また、括弧（「」や隅付き括弧）についても、区切りを示すという意味で同じ理由が当てはまる。
【００４３】
また、番組名に利用される修飾記号は、例えば、[終][字][デ][二]等といったものであり、それぞれ、最終回、字幕付き、データ放送、二カ国語を表している。これらは名称ではなくデータの内容に関する付加的な情報であり、名称を分割化する際に利用する積極的な意味はない。また、付加される部分が一義的でないので、付す場所が違うと同じデータが別のものとして扱われてしまいかねないという消極的な理由もある。このため、除去した方が好ましいと思うユーザも存在し、その希望に添うようにする。
【００４４】
なお、共通部分が無い場合もあるから、その場合は、ＣＰＵは、ステップＳ２７０にて、デフォルト（初期作成用）のフォルダー名とする。例えば、フォルダー１、フォルダー２・・というようにしてフォルダーを作成すればよい。
【００４５】
以上のようにして共通部分がある場合は、階層数の制限や、不要とする修飾記号の除去を行なった上で、階層構造化し、ステップＳ２８０にて、タイトル（データ）を最下層のフォルダーに移動する。共通部分がない場合は、デフォルトのフォルダー名が付されたフォルダーにデータを移動する。この場合、フォルダー名として共通部分を使用しているので、データの名称として、共通部分を除去したもの（フォルダー名を除去したもの）に変更することも可能である。一方、データの名称を変えたくないという希望があるユーザもいるので、フォルダー名を除去するか否かを設定メニューの中のオプションで選択できるようにしておいても良い。
【００４６】
（第四実施例）
階層構造化することを希望する場合があるのと同様に、階層構造化を元に戻すことを希望する場合もあり、以下にその手順を説明する。
図１０は、第四実施例の録画再生装置での番組名の表示にかかる処理手順をフローチャートにより示している。
ＣＰＵは、ステップＳ３００にて、階層構造の解除が選択されている状態であると判断すると、まず、ステップＳ３１０にて、階層構造とフォルダー名を取得し、続いて、ステップＳ３２０にて、最下層のデータのファイル名（名称）を取得する。次に、取得したこれらのフォルダー名とファイル名に基づき、ステップＳ３３０にて、階層構造のフォルダーとデータのファイル名との重複を除去したファイル名を生成する。上述したように、階層構造化したときにデータのファイル名にフォルダー名を残す場合もあるし、除去する場合もある。除去しているときは、上位層からフォルダー名を連結してファイル名の先頭に付加すればよい。除去していないときは、そのようにすると重複してしまうので、階層構造のフォルダーとデータのファイル名との重複を除去したファイル名を生成する。なお、除去してない場合は元のファイル名のままであるので、そのままにするということでも良い。その後、ＣＰＵは、ステップＳ３４０にて、階層構造を除去し、最下位層に記憶されていたデータのファイル名を上述したものに変更する。
このようにすることで、階層化構造としたり、それを解除したりするということが、実現可能となる。
【００４７】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００４８】
１０…録画再生装置、１１ａ１〜１１ａ６…チューナ、１１ｂ１〜１１ｂ６…復調器、１２…デマルチプレクサ、１３…マルチプレクサ、１４…ＨＤＤ、１４ａ…ブルーレイディスクドライブ、１５…デコーダ、１６…ドライバー、１７…ディスプレイパネル、１８…アンプ、１９…スピーカ、２１…操作パネル、２２…リモコン。
【図１】
2015177197.tif 000003
【図２】
2015177197.tif 000004
【図３】
2015177197.tif 000005
【図４】
2015177197.tif 000006
【図５】
2015177197.tif 000007
【図６】
2015177197.tif 000008
【図７】
2015177197.tif 000009
【図８】
2015177197.tif 000010
【図９】
2015177197.tif 000011
【図１０】
2015177197.tif 000012